(57)【要約】【課題】穀物の品質低下を防止しながら乾燥を促進させる穀物乾燥機。【解決手段】貯溜室２と、乾燥室３と、集穀室４と、循環移送手段とからなる穀物乾燥機において、左右の穀物流下通路５，５の間に遠赤外線放射体１０を配置した熱風室６と、左右の穀物流下通路５，５の外側に配置されていて吸引ファン１５に通じる排風室１６とで乾燥室３を構成する。乾燥室３前壁の外側にはバーナ１３を収容したバーナ風胴１４を設け、このバーナ風胴１４を遠赤外線放射体１０の入口部に連通し、左右の穀物流下通路５，５の下部合流部の下方部位に繰出バルブ７を設け、熱風室３における遠赤外線放射体１０の下方部位で且つ繰出バルブ７の上方部位に遠赤外線放射体１０から放射された遠赤外線を遮蔽する遮蔽板６１を設け、遮蔽板６１の上側面を反射材により構成する。【選択図】                図８
2005009691.tif 000002
【特許請求の範囲】
【請求項１】
上部の貯溜室と、中間部の乾燥室と、下部にあって乾燥作用を受けた穀物を集める集穀室と、集穀室に集められた穀物を前記貯溜室に還元する昇降機等の循環移送手段とからなる穀物乾燥機において、左右の穀物流下通路の間に遠赤外線放射体を配置した熱風室と左右の穀物流下通路の外側に配置されていて吸引ファンに通じる排風室とで前記乾燥室を構成し、前記乾燥室前壁の外側にはバーナを収容したバーナ風胴を設け、該バーナ風胴を前記遠赤外線放射体の入口部に連通し、左右の前記穀物流下通路の下部合流部の下方部位に繰出バルブを設けて下方の集穀室に穀物を繰り出すように構成し、前記熱風室における前記遠赤外線放射体の下方部位で且つ前記繰出バルブの上方部位に遮蔽板を設けて遠赤外線放射体から放射された遠赤外線を遮蔽したことを特徴とする穀物乾燥機。
【請求項２】
熱風室における遠赤外線放射体の下方部位で且つ繰出バルブの上方部位に設ける遮蔽板の上側面を反射材により構成して、前記遠赤外線放射体から放射された遠赤外線を遮蔽板の反射材により左右の穀物流下通路の穀物に向けて反射することを特徴とする請求項１記載の穀物乾燥機。
【発明の詳細な説明】
【０００１】
【発明の属する技術分野】
この発明は、熱風室内に遠赤外線の放射体を設けた穀物乾燥機に関するものである。
【０００２】
【従来の技術】
遠赤外線放射体を装備する穀物乾燥機において、左右の穀物流下通路の下端開口部の下方に繰出バルブを設け、左右の穀物流下通路における繰出バルブの上方部位を開放して、左右の穀物流下通路を流下してきた穀物が繰出バルブの上側に溢れて繰出バルブの上面に常時堆積するように構成し、この堆積穀物を下側から繰出バルブにより順次繰り出すようにし、堆積穀物の上側には遠赤外線放射体から常時遠赤外線を直接浴びせるようにしたものは公知である（例えば、特許文献１）。
【０００３】
【特許文献１】
特開２００２−５４８７７号公報
【０００４】
【発明が解決しようとする課題】
左右の穀物流下通路の間に熱風室を配置し、穀物流下通路の左右両側に排風室を配置し、熱風室内中央に遠赤外線放射体を配置した穀物乾燥機にあっては、左右の穀物流下通路の下部合流部には繰出バルブ７により繰り出される穀粒が該バルブ上面に滞留し、しかも、この滞留穀粒は乾燥作業中に長く滞留を続けるものもあり、長く滞留する穀粒に遠赤外線を強制的に長時間浴びせ続けると、過乾燥になり穀粒温度が上昇し品質を低下させるという不具合が発生することがある。そこで、この発明はこのような不具合を解決しようとするものである。
【０００５】
【課題を解決するための手段】
前記問題点を解決するために、請求項１の発明は、上部の貯溜室と、中間部の乾燥室と、下部にあって乾燥作用を受けた穀物を集める集穀室と、集穀室に集められた穀物を前記貯溜室に還元する昇降機等の循環移送手段とからなる穀物乾燥機において、左右の穀物流下通路の間に遠赤外線放射体を配置した熱風室と左右の穀物流下通路の外側に配置されていて吸引ファンに通じる排風室とで前記乾燥室を構成し、前記乾燥室前壁の外側にはバーナを収容したバーナ風胴を設け、該バーナ風胴を前記遠赤外線放射体の入口部に連通し、左右の前記穀物流下通路の下部合流部の下方部位に繰出バルブを設けて下方の集穀室に穀物を繰り出すように構成し、前記熱風室における前記遠赤外線放射体の下方部位で且つ前記繰出バルブの上方部位に遮蔽板を設けて遠赤外線放射体から放射された遠赤外線を遮蔽するたことを特徴とする。
【０００６】
前記構成によると、上部の貯溜室に堆積した穀物は乾燥室の左右の穀物流下通路を流下する間に、中央側の熱風室から左右両側の排風室に流れる熱風により乾燥される。左右の穀物流下通路の下端部に流下した穀物は繰出バルブで繰り出されて下側の集穀室に流下し、循環移送手段により揚穀移送され貯溜室に還元される。
【０００７】
また、前記乾燥作業中にバーナに熱せられた乾燥風が遠赤外線放射体に流入し、遠赤外線放射体から遠赤外線が左右の穀物流下通路の穀物に放射され、左右の穀物流下通路の下端合流部下方に滞留している穀物への遠赤外線の放射は遮蔽板により遮蔽される。
【０００８】
請求項２の発明は、請求項１の発明に加えて、熱風室における遠赤外線放射体の下方部位で且つ繰出バルブの上方部位に設ける遮蔽板の上側面を反射材により構成して、前記遠赤外線放射体から放射された遠赤外線を遮蔽板の反射材により左右の穀物流下通路の穀物に向けて反射することを特徴とする。
【０００９】
前記構成によると、請求項１記載の発明の前記作用に加えて、遠赤外線放射体から下方に向けて放射された遠赤外線は遮蔽板上面の反射材で反射して左右の穀物流下通路の穀物に放射される。
【００１０】
【発明の効果】
請求項１の発明は、左右の穀物流下通路の下方に滞留している繰出バルブで繰り出される前の穀物には遠赤外線の照射が遮蔽されるので、穀粒が滞留しても過乾燥や穀温の上昇を押さえながら乾燥し品質の低下を防止することができる。
【００１１】
また、請求項２の発明は、請求項１記載の発明の効果に加えて、遠赤外線放射体から下方に向けて放射された遠赤外線は遮蔽板の反射材で反射して左右の穀物流下通路の穀物に放射され、流下穀物への遠赤外線放射量を増加することができ乾燥作用を促進させることができる。
【００１２】
【発明の実施の形態】
以下、この発明の一実施の形態を図面に基づき説明する。
１は穀物乾燥機の機枠で、内部に貯溜タンク２、乾燥室３、集穀室４の順に積み重ねられている。乾燥室３内には、通気性網体５ａ，５ａを対向させて傾斜状の穀物流下通路５，５を形成し、左右一対の穀物流下通路５，５を正面視Ｖ字型に形成する。各穀物流下通路５，５の上位側は更にＶ字型を形成するように左右の穀物流下通路５，５の内側を断面菱形の空間部として熱風室６に形成する。なお、菱形断面の空間形成体のうち下半部は、前記のように通気網体にて形成し、逆Ｖ字型の上半部は非通気性の板材により形成している。
【００１３】
穀物流下通路５，５下端部の左右通路の合流部には繰出バルブ７を設けている。この繰出バルブ７は断面円形に構成されていて、正逆回転に従って外周の一部に形成した導入口部７ａ，７ａから穀物を受入れて、正逆回転に伴って下方の集穀室４に落下させる構成である。
【００１４】
乾燥室３内側の菱型空間部に形成した熱風室６内には、多角形状に構成されていて乾燥室３正面側壁から後面側壁に亘る長さに形成された遠赤外線放射体１０を、機壁前面及び後面に夫れ夫れ着脱自在に固着している。この遠赤外線放射体１０の断面形状は、前記菱型空間部の断面形状に相似して対応するように上部の逆Ｖ字形状と下部のＶ字形状とを短い垂直部で連結する略６角形状に構成されていて、上部突端と下部突端とには前後に亘るスリット状の開口１１，１２を形成し、実質的には左半部と右半部とを所定間隙を隔てて対向配置するように構成している（図３参照）。なお、左・右半部の前・後壁への取り付けは、左・右半部の前側上部をまたぐ形状の係止具２６により前壁にボルト・ナットで取り付け、左・右半部の前側下部及び後側上・下部を独立的に設ける係止具２７，２７により前・後壁に夫れ夫れボルト・ナットで着脱自在に固着している。
【００１５】
前記遠赤外線放射体１０の入口側には、乾燥機正面に配置するバーナ１３からの熱風を受け入れる構成である。即ち、例えば気化型バーナを中心部に配置したバーナ風胴１４を機体正面側に取り付け、このバーナ風胴１４と遠赤外線放射体１０の入口部とを連通している。
【００１６】
機体の背面側には、吸引ファン１５を設け、この吸引ファン１５の気風によって、菱形空間である熱風室６から前記穀物流下通路５，５を経て、穀物流下通路５，５の外側に形成される排風路１６，１６に向けて通風するように構成している。この吸引ファン１５は、遠心ファンに構成されていて、そのケーシング１７は機体背面側に構成する排風胴１８の中央部において、水平軸心Ｐ回りに回転自在に取り付けて変向可能に構成している。即ち、図７に示すように、ファンケーシング１７に対して回転自在に設けたファンブレード１９は、前記排風胴１８に接続するベルマウス部２０の空間部を貫通する支持軸２１に支承されていて、実質的にファンケーシング１７とは独立して構成されている。なお、支持軸２１の内端部にはプーリ２２を備え、モータ（図示省略）により回転駆動するように構成している。
【００１７】
前記のようにファンブレード１９を実質的に乾燥機の機体側に支持したファンケーシング１７を該機体に対して水平軸心Ｐ回りに回転自在に構成したため、ファンケーシング１７に接続する排風ダクト２４の向きを上向き左右に変向でき、排風先が種々に変向できて乾燥機の設置位置の制約が少なくなる。なお、ファンケーシング１７の回転軸心を水平軸回りとしたが、やや傾斜軸心とすることも可能である。
【００１８】
集穀室４にはその中央に移送ラセンを備えた下部搬送装置２５を設け、前記繰出バルブ７からの繰出穀粒を下部搬送装置２５で受けて例えば機体の正面側に移送する。機体の正面側には昇降機３０を設け、内部にバケット３０ａ，…を備え、下部搬送装置２５からの穀粒を掬い上げて上部天井に設ける上部搬送装置３１の始端部に揚穀するように構成している。移送ラセンを備えた上部搬送装置３１の終端側における天井中央部には垂下軸３２を設け、この垂下軸３２に回転拡散板３３を取り付けている。
【００１９】
前記バーナ１３の設置構成について説明する。バーナ１３は燃焼盤部分とケーシング部分とからなり、ケーシング部分には気化筒や燃焼用一次空気送風ファン等を内蔵する回転気化型バーナに構成、これを横向き姿勢にしてバーナ風胴１４に位置させ、バーナ火炎を機体内側に向かうように設置している。バーナ１３の正面側の機壁には熱風通過口３５を開口している。バーナ１３の燃焼火炎は前記吸引ファン１５の回転により乾燥用風となって熱風室６に流れる構成である。
【００２０】
また、バーナ風胴１４を囲うように外気導入スリット３６ａ，…の形成された入口風胴３６を機壁正面に取り付け、この入口風胴３６の前面には乾燥機用コントローラ（制御部）４０を設けている。図６に示すように、入口風胴３６の正面にはコントローラ４０操作盤４１を備えている。この操作盤４１には張込スイッチ４２、通風スイッチ４３、乾燥スイッチ４４、排出スイッチ４５、停止スイッチ４６を備え、各種の運転モードに切り替えると共に運転停止を司る。また、緊急スイッチ４７を設け、この緊急スイッチ４７を操作すると、機体運転部の全体を略同時に停止する構成である。
【００２１】
これらのスイッチ４２〜４７の外に、張込量を設定する張込量設定スイッチ４８、最終仕上げ水分値を設定する水分設定スイッチ４９、及び、乾燥設定スイッチ５０（籾乾燥の場合には乾燥速度を速い・普通・遅いに設定し、また、他の穀粒乾燥の場合には、例えば小麦・大麦等の品種に関連付けて予め設定した乾燥速度に設定する）を備えている。更に、乾燥仕上がりを水分値によらないで処理時間によらせるためにタイマ増・減スイッチ５１，５２を備えている。
【００２２】
水分検出手段５３は一粒式の水分計を採用し、所定時間毎に所定粒数単位で水分値を測定し、所定回数の検出結果を平均処理して水分値を算出し、前記操作盤４１の表示部５４に検出熱風温度等と交代的に表示する構成である。制御部４０は併せて一粒水分値から水分のバラツキを判定したり、未熟粒の多少を判定できる構成とし、これらを３個のＬＥＤ５５，５６により表示している。
【００２３】
制御部４０には、操作盤４１のスイッチから乾燥情報等を入力するほか、各種センサから検出情報が入力され、前記気化型バーナ１３の燃料供給量を制御したり、穀粒の移送系手段を運転制御するように構成している。
次に、前記構成の作用について説明する。
【００２４】
張込ホッパ（図示省略）に投入された穀粒は、張込スイッチ（図示省略）をＯＮすることにより駆動される昇降機３０、上部搬送装置３２等を経由して貯溜タンク２に張り込まれる。穀粒の張込が完了すると、乾燥作業に移行するが、前段で穀粒種類の設定や希望の乾燥仕上げ水分値を水分設定スイッチ４９及び乾燥設定スイッチ５０により設定する。
【００２５】
前記の設定操作の終了後に乾燥スイッチ４４をＯＮすると、昇降機３０、上・下搬送装置２５，３１、繰出バルブ７等の駆動が開始されると共に、バーナ１３も駆動されて熱風が乾燥室３の菱形空間である熱風室６の入口部に向けて供給される。
【００２６】
ここで、バーナの火炎は吸引ファン１５の回転により熱風化され、適宜に導入される外気と混合されながら遠赤外線放射体１０内に流入し、遠赤外線放射体１０を加熱しつつ上部及び下部に形成されているスリット状開口１１，…、１２，…を経て遠赤外線放射体１０の外に流出する。その際に遠赤外線放射体１０の加熱により遠赤外線放射体１０の表面から遠赤外線が放射されて、この熱放射及び前記熱風は共に流下通路５，５を流下中の穀粒に作用し、遠赤外線による輻射熱と熱風により穀粒内部での水分移行が促進され、熱風による水分除去作用に伴って効率的な乾燥作用が行なわれる。
【００２７】
穀物流下通路５，５の前後に亘って遠赤外線の放射と熱風による乾燥作用がなされ、穀物流下通路５，５を通過した熱風は排風室１６，１６を経て排風される。乾燥室３で乾燥された穀粒は、集穀室４の下部搬送装置２５、昇降機３０、上部移送ラセン３１を経由して再び貯溜タンク２に戻されて調質作用を受ける。このような行程を繰り返し、所定の水分値に達すると乾燥が終了するものである。
【００２８】
前記図３に示す実施例では、遠赤外線放射体１０の断面形状を穀類流下通路５，５の断面形状に略沿うように構成したので、遠赤外線放射体１０からの遠赤外線放射を流下穀粒に均等に作用させることができる。
また、前記図３に示す実施例では、遠赤外線放射体１０を左右対称形状に構成し、熱風室６に上下に間隔を設けて配置することにより、スリット状開口１１，１２を構成したので、上下面双方から熱風が流出し、遠赤外線放射体１０の過熱を防止できる。
【００２９】
また、図４に示すように、遠赤外線放射体１０の上部一方にのみスリット状開口部１１を形成し、下部側は熱風を排風せずに専らバーナ熱風により遠赤外線放射体１０の下部側の加熱を促進するように構成してもよい。なお、塵埃防止用遮蔽部材２８を設けて熱風室６内の温度分布を適正化するように構成してもよい。
【００３０】
また、図５に示すように、逆に遠赤外線放射体１０の下部側にのみスリット状下部開口１２を形成して、上部側には熱風を排風せず専らバーナ熱風により遠赤外線放射体１０の上部側の加熱を促進するように構成してもよい。
次に、図８に基づき乾燥装置の他の実施例について説明する。
【００３１】
熱風室６の正面視中央部には遠赤外線放射体１０を設け、この遠赤外線放射体１０の下部に下部開口１２を構成して熱風を下方に向けて放出するように構成している。前記遠赤外線放射体１０と繰出バルブ７との間には、遠赤外線を遮蔽する断面逆Ｖ字型の例えばステンレス材の遮蔽板６１を設けて、遮蔽板６１の下方に滞留する穀粒への遠赤外線の照射を防ぎ、遠赤外線放射体１０の下部開口１２から下向きに流出した熱風を左右の穀物流下通路５，５に向けて案内するように構成している。
【００３２】
すなわち、穀物流下通路５，５を形成する通気性網体５ａ，５ａの下端部において、該網体５ａ，５ａに連続する垂直板５ｂ，５ｂは適宜の間隔を離して設けられる。そしてこの垂直板５ｂ，５ｂの下方にのぞませて繰出バルブ７が接近して配置されている。このようにして、繰出バルブ７によって穀粒流下通路５から繰出バルブ７のドラム部内に掻き込まれるが、穀物はその一部がドラム外にあって連れまわりしながら、繰出バルブ外周に沿って移行しうるよう上記の垂直板５ｂ，５ｂ間隔部を形成して一時的にバルブ７上面に移行して停滞させる構成となっている。符号５ｃ，５ｃは、繰出バルブ７の周面に接触しうる可とう性の籾洩防止ゴムでその基部を適宜機枠側に固定させて設ける構成である。
【００３３】
従って、穀物流下通路５，５の合流下端部における繰出バルブ７の上方部位には穀粒が滞留する。この滞留している穀粒に遠赤外線を強制的に浴びせかけるものもあるが、この部分に滞留している穀粒は乾燥作業中にはほとんど滞留したままのものもあり、遠赤外線を強制的に長時間浴びせ続けると、過乾燥になり穀粒温度が過度に上昇して品質を低下させることがある。
【００３４】
しかし、前記構成のように、穀物流下通路５，５の合流下端部における繰出バルブ７の上方部位に遮蔽板６１を設けたので、滞留している穀粒への遠赤外線の放射を遮ると共に、遠赤外線放射体１０から下向きに流れた熱風を左右の穀物流下通路５，５に案内し、穀粒の過乾燥及び穀温の上昇を押さえ左右の穀物流下通路５，５の穀粒に均等に熱風を送り穀粒の乾燥を均一化し品質の低下を防止することができる。
【００３５】
また、遮蔽板６１の上側面を反射材により構成して、遠赤外線放射体１０から放射された遠赤外線を遮蔽板６１の反射材により左右斜め上側の穀物流下通路５，５の穀物に向けて反射するように構成してもよい。
このように構成すると、遠赤外線放射体１０から下方に向けて放射された遠赤外線は遮蔽板６１の反射材で反射し左右の穀物流下通路５，５の穀物に放射され、流下穀物への遠赤外線放射量を増加し乾燥作用を促進させることができる。
【００３６】
また、図９に示すように構成してもよい。即ち、乾燥室３の後側板６２における前記遠赤外線放射体１０の中央部に対向する部位に点検窓６３を設け、ステンレス鋼板製の蓋６４で開閉自在に構成する。そして、蓋６４の内側面を研磨処理して鏡状に構成したり、別途構成した鏡６５を設けるように構成する。
【００３７】
乾燥室３の内側に熱風室６を構成するものでは、バーナ１３の燃焼状態の確認が難しい。このために、バーナ風胴１４の中央部に気化型バーナを配置したものにあっては、バーナ風胴１４を被覆するケース側面に覗き窓を設けるものがある。しかし、このような構成では、覗き窓を経てバーナ風胴に横から空気が流れ込みバーナの燃焼に悪影響を及ぼす不具合がある。
【００３８】
しかし、前記のように構成したので、蓋６４の内側面の鏡状部分あるいは鏡６５にバーナ１３の燃焼状態が写るので、機体前側からバーナ風胴１４、遠赤外線放射体１０を通してバーナ１３の燃焼状態を図９のＥ位置からバーナ風胴を介して確認することができ、バーナ１３の燃焼調整を容易に行なうことができる。また、遠赤外線放射体１０の後側部位に点検窓６３を設けたので、遠赤外線放射体１０の組立て作業が容易となる。なお、遠赤外線放射体１０の構成として、前後に遮蔽部材を備えないため上記構成と相俟って容易に目視確認の構成を実施できる。
【００３９】
次に、図１０及び図１１に基づき熱風室６及び遠赤外線放射体１０への外気導入構成について説明する。
熱風室６の正面視中央部には遠赤外線放射体１０を設け、この遠赤外線放射体１０には上部及び下部に開口１１，１２を構成し、熱風室６及び遠赤外線放射体１０の前側にバーナ１３を対向配置している。そして、熱風室６の前側にはバーナ風胴１４を設け、バーナ風胴１４の中央部にバーナ１３を配置して、バーナ１３からの熱風が熱風室６及び遠赤外線放射体１０に流れるように構成している。そして、バーナ風胴１４の終端側には遠赤外線放射体１０の内部及び外周部に向けて空気を狭めながら案内する導風板６６，６６を設けている。
【００４０】
従来装置にあっては、バーナ風胴１４の終端側では後側へ流れる熱風が左右両側から中央部に向けて直交するように流れるので、熱風の流れ抵抗が大きかった。しかし、この実施例では前記のように、バーナ１３の周囲にバーナ風胴１４を設け、バーナ風胴１４の熱風を斜め方向の導風板６６，６６により絞りながら熱風室６における遠赤外線放射体１０の内部及び外周部に案内するように構成したので、熱風室６への熱風の流入抵抗が少なくなり乾燥性能を高めることができる。
【００４１】
次に、図１２に基づき乾燥装置の他の実施例について説明する。
乾燥室３内下部には、通気性網体５ａ，５ａを対向させて傾斜状の穀物流下通路５，５を形成し、左右一対の穀物流下通路５，５をＶ字型に形成する。各穀物流下通路５，５の上位側は更にＶ字型を形成するようにして、左右の穀物流下通路５，５の内側を断面菱形の空間部として熱風室６を形成する。
【００４２】
なお、菱形断面の空間形成体のうち下半部は、通気網体５ａ，５ａで構成し、逆Ｖ字型の上半部は非通気性の板材６７により形成している。この上半部を非通気性の板材６７で構成するにあたり、例えばステンレス鋼板の板材６７として、その下側面を鏡面に仕上げて、遠赤外線放射体１０から放射される遠赤外線を斜め下向き左右に反射して左右の穀物流下通路５，５の穀粒にまんべんに放射するように構成している。
【００４３】
しかして、逆Ｖ字型の板材６７の上側面における穀粒の流れを良くして穀粒の滞留を防止しながら、板材６７の下側面では遠赤外線放射体１０から上側に放射された遠赤外線を下向きに反射して左右の穀物流下通路５，５の穀粒に放射し、遠赤外線の有効利用を図ることができる。
【００４４】
また、図１３に示すように、上半部の逆Ｖ字型の非通気性の前記板材６７に代えて、目抜き鉄板６８で構成してもよい。このように構成することにより、遠赤外線放射体１０から上側に向けて放射された遠赤外線を目抜き鉄板６８の孔を通して流下中の穀粒に放射することができて、流下中の穀粒に長く遠赤外線を放射することができて遠赤外線効果を高めることができる。
【００４５】
また、図１４に示すように、断面菱形空間である熱風室６内をパンチングメタル等の通気性板体からなる分割板６９により上下に分割構成し、正面視で分割板６９の下側寄りにバーナ１３を配置したり、あるいは、熱風室６上部への外気の流れをある程度制限する抵抗板（図示省略）を設けたり、あるいは、熱風室６を構成する上部の逆Ｖ字型の通気性板体７０の開口率を高め、下部のＶ字型の通気性板体７０の開口率を低くして、熱風室６下部の温度を高めるように構成してもよい。
【００４６】
しかして、乾燥領域である穀物流下通路５，５に循環した穀粒は、乾燥領域上部ではテンパリングをすませた状態で水分が抜けやすくなっているので、低温の熱風で無理なく乾燥を促進させ、また、乾燥領域下部では穀粒の水分が抜けにくくなっているので、高い熱風により水分移行を促進しテンパリングに備える状態とする。
【００４７】
また、菱形空間である熱風室６内をパンチングメタル等の通気性板体からなる分割板６９により上下に分割構成し、熱風室６の上部側を下部側に比較して温度を高めるように構成してもよい。
このように構成すると、乾燥領域である穀物流下通路５，５に循環した穀粒は、乾燥領域上部ではテンパリングをすませた状態で水分が抜けやすい状態であるので、高温の熱風を作用させて一気に乾燥を促進させ、また、乾燥領域下部では穀粒の水分が抜けにくくなっているので、低温の熱風を作用し無理なく乾燥しテンパリングに備える状態とする。
【００４８】
次に、図１５に基づき外気温度センサ７１の設置構成について説明する。
バーナ風胴１４を囲うように入口風胴３６を配置して機壁正面に取り付け、入口風胴３６には外気導入スリット３６ａ，…を形成している。バーナ風胴１４の上部にはスリット部１４ａを構成し、バーナ風胴１４におけるスリット部１４ａの後方位置には鏡６５を斜設している。しかして、バーナ１３の燃焼状態をスリット部１４ａを通して鏡６５に写し、入口風胴３６の前側からバーナ１３の燃焼状態を確認することができる。
【００４９】
また、入口風胴３６におけるスリット部１４ａの上方部位に外気温度センサ７１を取り付け、外気温度センサ７１は制御部（図示省略）に接続されている。
しかして、通常の乾燥状態では、入口風胴３６とバーナ風胴１４との間を流れた風がスリット部１４ａを経てバーナ風胴１４の内部に流れて正確な外気温度を検出することができる。また、吸引ファン１５の吸引力が低下する等の異常により、バーナ１３の炎が上向きに上がると、スリット部１４ａを通して外気温度センサ７１が急激な温度上昇を検出し、制御部（図示省略）からの指令によりバーナ１３の燃焼を停止する制御がなされる。
【００５０】
また、７２は、入口風胴３６の内面に設けるダクトで、該ダクト７２を経由して外気温度センサ７１に風を送るように構成してもよい。このように構成することにより、ダクト７２を通して外気温度センサ７１に外気が確実に風が流れ、外気温度の検出精度を向上させることができる。
【００５１】
次に、図１６に基づきバーナ１３の他の実施例について説明する。
バーナ１３は次のように構成されている。外側燃焼筒７３、外側燃焼筒７３の内側に所定間隙あけて設けている内側燃焼筒７４、外側燃焼筒７３と内側燃焼筒７４とで形成される環状の空気噴出口通路７５、内側燃焼筒７４の中心部に配置されている燃焼盤７６、燃焼盤７６の内部に形成される混合室７７、燃焼盤７６の上側に回転自在に設けられている気化筒７８、気化筒７８の上端部内周面に形成されているオイル拡散体７９、燃料を供給するノズル８０、イグナイタ（図示省略）、風調ファン（図示省略）等により構成されていて、制御部（図示省略）により制御されながら燃焼する構成である。
【００５２】
しかして、点火スイッチ（図示省略）がＯＮされると、風調ファン（図示省略）が回転を開始し、バーナ１３への送風が開始され、イグナイタ（図示省略）に通電される。次いで、所定時間後にノズル８０から燃料供給が開始され、回転しているオイル拡散体７９に燃料が供給される。回転しているオイル拡散体７９の遠心力により燃料は拡散されながら気化筒７８に送られ、次いで、気化筒７８内を下側に向けて移動し、気化筒７８の下端部と燃焼盤７６との間隙部から燃料は微粒子となって内側燃焼筒７４内に放出され、イグナイタ（図示省略）により着火されて燃焼を開始する。
【００５３】
気化筒７８の外周面が燃焼ガスで熱せられると、気化筒７８の内部で燃料はガス化され、気化筒７８内部及び混合室７７で空気と混合され燃焼盤７６内の混合室７７に流入し、燃焼盤７６から混合ガスが噴出し燃焼する。
バーナ１３は前記のようにして燃焼するが、外側燃焼筒７３と内側燃焼筒７４で形成される空気噴出口通路７５から内側燃焼筒７４の外周面に沿って空気が環状に噴出し、内側燃焼筒７４に沿って環状のエアーカーテンが形成される。従って、二次空気による燃焼への影響を受けにくくなり、少量燃焼時での炎が消えるのを防止することができる。
【００５４】
次に、図１７に基づきバーナ１３の燃焼用空気の導入構成について説明する。
バーナ１３は回転気化型バーナで、一側の燃焼盤部分１３ａと他側のケーシング部分１３ｂとから構成されていて、ケーシング部分１３ｂには気化筒や燃焼用一次空気送風ファン等を内蔵し、これを横向き姿勢にしてバーナ風胴１４に収容し、バーナ火炎を機体内側に向かうように設置している。ケーシング部分１３ｂの端部中央には燃焼空気取入用の円形の流入口８１を開口している。この流入口８１に対向して、流入口８１より大径で且つケーシングより小径の円形の板体８２を配置し、ケーシング底面より所定間隙（例えば２ミリ程度）の間隙部８３だけ浮かせて取り付けている。
【００５５】
しかして、バーナ１３への燃焼用空気はケーシングより小径の板体８２とケーシング底板との間隙部８３を通って流入するので、構成を簡素化しコストの低減を図りながら、バーナ１３周辺の空気の流動抵抗を少なくし、間隙部８３では流速があがり流入空気量を安定させることができる。
【００５６】
従来構成では、図１８に示すように、バーナ１３のケーシング部分１３ｂにケーシングより大径の板体８２を所定間隙開けて設けたものがある。このような構成では、板体８２がケーシングより大径であるのでバーナ１３の周囲を流れる熱風の抵抗となり、また、間隙部８３を比較的大きくする必要があり、流入空気量が安定しないという不具合があった。しかし、前記のように構成するとこのような不具合を解消することができる。
【００５７】
次に、図１９及び図２０に基づき穀物乾燥機の張込ホッパ８４について説明する。
穀物乾燥機の乾燥室３の側方に張込口８５を設け、この張込口８５にはその下端部を回動中心とする開閉自在の張込ホッパ８４を設けている。張込ホッパ８４の内側面左右一側には内側に向けて突出した係止板８６を設け、この係止板８６の上端部には前後方向（図２０では左右方向）に開口している係止穴８７を設けている。また、乾燥室３の側壁内側にはロック片８８の中間部をピン８９で枢支して前後方向に回動自在に設け、このロック片８８の一端を前記係止穴８７に係合したり離脱する係止部８８ａとし、他端側を前後方向に流れる熱風を受ける風受け面８８ｂに構成している。
【００５８】
そして、張込ホッパ８４の取付部にはマイクロスイッチ（図示省略）を設けて、張込ホッパ８４が閉鎖状態となると、マイクロスイッチ（図示省略）がＯＮとなって乾燥運転が可能になり、また、張込ホッパ８４が開いた状態、あるいは、完全に閉鎖されていない状態では、マイクロスイッチ（図示省略）がＯＦＦとなり、乾燥運転ができないように構成されている。
【００５９】
しかして、張込ホッパ８４を上方に回動して閉鎖状態とし、後側から前側（図２０では右側から左側）に向けて流れる熱風がロック片８８の風受け面８８ｂに作用すると、ロック片８８は、風受け面８８ｂの自重に抗して時計方向に回動し（図２０中実線）、ロック片８８の係止部８８ａが張込ホッパ８４側の係止穴８７に係合し、張込ホッパ８４は閉鎖状態でロックされ、乾燥運転が可能な状態となる。
【００６０】
従って、乾燥運転中は熱風の流れがロック片８８の風受け面部８８ｂに作用して張込ホッパ８４の開放を防止することができ、また、張込ホッパ８４が開口したときには乾燥運転が停止されるので、張込ホッパ８４が開口した場合のバーナ部の風量不足による異常な温度上昇や、火災を防止しながら乾燥作業をすることができる。
【図面の簡単な説明】
【図１】全体の切断側面図
【図２】全体の一部切断した正面図
【図３】遠赤外線放射体の斜視図
【図４】他の遠赤外線放射体の斜視図
【図５】更に他の遠赤外線放射体の斜視図
【図６】操作盤の正面図
【図７】排風ファンの背面図（イ）及び側面図（ロ）
【図８】要部の切断正面図
【図９】要部の側面図
【図１０】遠赤外線放射体の斜視図
【図１１】遠赤外線放射体装着状態の正面図
【図１２】熱風室の別例を示す切断正面図
【図１３】熱風室の別例を示す切断正面図
【図１４】熱風室の別例を示す切断正面図
【図１５】バーナ入口風胴の側面図
【図１６】バーナの一部の側断面図
【図１７】一部断面したバーナ全体側面図
【図１８】従来構造を示す一部断面したバーナ全体側面図
【図１９】穀物横張込み部の斜視図
【図２０】ロック機構の側面図
【符号の説明】
１        穀物乾燥機の機枠
２        貯溜タンク
３        乾燥室
４        集穀室
５        穀物流下通路
６        熱風室
７        繰出バルブ７
１０        遠赤外線放射体
１１        開口
１２        開口
１３        バーナ
１５        吸引ファン
１６        排風路
２５        下部搬送装置
３０        昇降機
３１        上部搬送装置
３２        垂下軸
３３        回転拡散板
６１        遮蔽板
【図１】
2005009691.tif 000003
【図２】
2005009691.tif 000004
【図３】
2005009691.tif 000005
【図４】
2005009691.tif 000006
【図５】
2005009691.tif 000007
【図６】
2005009691.tif 000008
【図７】
2005009691.tif 000009
【図８】
2005009691.tif 000010
【図９】
2005009691.tif 000011
【図１０】
2005009691.tif 000012
【図１１】
2005009691.tif 000013
【図１２】
2005009691.tif 000014
【図１３】
2005009691.tif 000015
【図１４】
2005009691.tif 000016
【図１５】
2005009691.tif 000017
【図１６】
2005009691.tif 000018
【図１７】
2005009691.tif 000019
【図１８】
2005009691.tif 000020
【図１９】
2005009691.tif 000021
【図２０】
2005009691.tif 000022